(57)【要約】【課題】スライドテーブルを引き出さず、或いはスライドテーブル上に物が置かれていても、引出し内の物を取り出すことができる補助テーブルを提供すること。【解決手段】天板２４を有し、少なくとも手前に開口部が配置されるようにして、天板２４の下面側に収容空間Ｓを有する基体２８と、収容空間Ｓに収められると共に、開口部から出し入れ可能なスライドテーブル３０とを備えた補助テーブルであって、スライドテーブル３０の下面側には、収容空間Ｓに収められると共に、開口部から出し入れ可能な引出し部４０が設けられており、引出し部４０は、スライドテーブル３０にのみ規制されるようにして、スライドテーブル３０に対して出し入れ自在となっている。【選択図】図３
2009131403.tif 000002
【特許請求の範囲】
【請求項１】
物が載置される天板を有し、少なくとも手前に開口部が配置されるようにして、前記天板の下面側に収容空間を有する基体と、
前記収容空間に収められると共に、前記開口部から出し入れ可能なスライドテーブルと
を備えた補助テーブルであって、
前記スライドテーブルの下面側には、前記収容空間に収められると共に、前記開口部から出し入れ可能な引出し部が設けられており、
前記引出し部は、前記スライドテーブル及び／又はこれに設けられた部材にのみ規制されるようにして、前記スライドテーブルに対して出し入れ自在となっている
ことを特徴とする補助テーブル。
【請求項２】
前記引出し部は、奥行き方向と直交する幅方向の両端に、平板状の鍔状部を有しており、
前記スライドテーブルは、その幅方向の両端部が内側に丸められるように曲げ加工されており、
前記丸められるように曲げ加工された曲面部が、前記引出し部の前記鍔状部を下支えしながら前記引出し部を出し入れする際のガイドとなっている
ことを特徴とする請求項１に記載の補助テーブル。
【請求項３】
前記引出し部は、底板とこの底板の上に設けられた枠体とを有し、
前記スライドテーブルの下面の少なくとも中央より手前側には、前記引出し部を引き出す際、前記枠体が乗り越えられる程度に前記枠体に当たる凸部が突出している
ことを特徴とする請求項１または２に記載の補助テーブル。
【請求項４】
前記凸部は前記引出し部が引き出される方向に複数並べられていることを特徴とする請求項３に記載の補助テーブル。
【発明の詳細な説明】
【技術分野】
【０００１】
本発明は、レンジ等が載置される天板の下面側に、出し入れ可能なスライドテーブルを備えた補助テーブルに関する。
【背景技術】
【０００２】
厨房の調理台や家具等の作業台の上には、ガスレンジや電子レンジ、トースター、ポット等の種々の製品が載置されることが多いため、作業台の上で調理などの作業をするスペースが狭くなってしまうことが多い。このため、従来は、作業スペースを得るため、例えばガスレンジの下に、スライド式に出し入れ可能な補助テーブルを載置することがある。
【０００３】
図９は従来の補助テーブルの斜視図であって、補助テーブル１は、厨房家具２とガステーブル４との間に配置されるようになっている（例えば、特許文献１参照）。この補助テーブル１は、手前に開口部６を有するように収容空間が形成されており、この収容空間に平板８が収納されている。そして、この平板８は収容空間から出し入れ可能であって、調理等の作業をする際、開口部６から引き出して、平板８の上で作業することができる。また、平板８の上に調味料・包丁等の食材や道具を載置することで、別の調理台に置く食材や道具の数を減らして、作業スペースを確保することができる。
【０００４】
図１０は従来のその他の補助テーブルの斜視図であって、この補助テーブル１２の場合、引出し１４が設けられている（例えば、特許文献２参照）。すなわち、収容空間の中にはスライドテーブル１６で蓋をされるように引出し１４が収納されており、この引出し１４を手前に引き出すとスライドテーブル１６も引き出される。そして、このスライドテーブル１６の上で作業をし、また食材や道具を載置することができ、しかも、スライドテーブル１６を図のように上げて、引出し１４の中の物を取り出すこともできる。
【０００５】
【特許文献１】特開２００６―３２０５２０の公開公報
【特許文献２】特開平９―７０３２３の公開公報
【発明の開示】
【発明が解決しようとする課題】
【０００６】
しかし、図１０に示される補助テーブル１２では、スライドテーブル１６が引出し１４に蓋をするような構造となっており、引出し１４のみを引き出すことができない。このため、引出し１４を使用したい場合、その都度、引出し１４とスライドテーブル１６を一緒に引出して、蓋であるスライドテーブル１６を図１０のように押し上げなければならなかった。
ここで、スライドテーブル１６と引出し１４とを別々に引き出せるような構造にすれば、スライドテーブル１６を引き出さなくても、引出し１４を引き出すことができる。しかし、スライドテーブル１６の上で調理等の作業をしている最中に、引出し１４の中の箸等を取り出したくなることが想定され、その場合、スライドテーブル１６上に物を置いていると、引出し１４の中の物を取り出す時に、その都度、スライドテーブル１６上の物を別の場所に移動させてスライドテーブル１６をしまわなくてはならず、大変不便である。
【０００７】
本発明は、スライドテーブルを引き出さず、或いはスライドテーブル上に物が置かれていても、引出し内の物を取り出すことができる補助テーブルを提供することを目的とする。
【課題を解決するための手段】
【０００８】
上記の目的は、請求項１の発明によれば、物が載置される天板を有し、少なくとも手前に開口部が配置されるようにして、前記天板の下面側に収容空間を有する基体と、前記収容空間に収められると共に、前記開口部から出し入れ可能なスライドテーブルとを備えた補助テーブルであって、前記スライドテーブルの下面側には、前記収容空間に収められると共に、前記開口部から出し入れ可能な引出し部が設けられており、前記引出し部は、前記スライドテーブル及び／又はこれに設けられた部材にのみ規制されるようにして、前記スライドテーブルに対して出し入れ自在となっている補助テーブルにより達成される。
【０００９】
請求項１の構成によれば、補助テーブルは、基体の収容空間に収められると共に、開口部から出し入れ可能なスライドテーブルと引出し部が設けられているため、スライドテーブルを引き出して作業台とし、また引出し部内に物を保管することもできる。ここで、引出し部はスライドテーブルに対して出し入れ自在となっている。このため、スライドテーブルを引き出し、スライドテーブル上で調理等の作業をしている状態で、引出し部をスライドテーブルから引き出して、その中から調理用具等を取り出すことができる。しかも、引出し部の出し入れは、スライドテーブル及び／又はこれに設けられた部材にのみ規制されるため、例えばスライドテーブル以外の基体の構造に規制されることがなく、スライドテーブルを大きく引き出しても、その大きく引き出した状態からさらに引出し部を引き出すことができる。したがって、スライドテーブルを大きく引き出して大きな作業領域を得つつ、引出し部の中から調理用具等を取り出すことができる。
【００１０】
請求項２の発明は、請求項１の構成において、前記引出し部は、奥行き方向と直交する幅方向の両端に、平板状の鍔状部を有しており、前記スライドテーブルは、その幅方向の両端部が内側に丸められるように曲げ加工されており、前記丸められるように曲げ加工された曲面部が、前記引出し部の前記鍔状部を下支えしながら前記引出し部を出し入れする際のガイドとなっていることを特徴とする。
【００１１】
請求項２の構成によれば、スライドテーブルは、その幅方向の両端部が内側に丸められるように曲げ加工されており、丸められるように曲げ加工された曲面部が、引出し部の鍔状部を下支えしながら引出し部を出し入れする際のガイドとなっている。このため、引出し部を出し入れするためのガイドとスライドテーブルとは一体であるため、ガイドを別部材で形成した場合と比べて、出し入れする際のガタつきを抑えられる。特に、スライドテーブルを引き出した状態で引出し部を引き出すことで高まったガタつきの恐れを抑制できる。また、曲面部が引出し部を出し入れする際のガイドとなっているため、スライドテーブルと引出し部とが接触する面積を小さくして、引出し部を引き出す際のガタつきを有効に抑制することができる。
【００１２】
請求項３は、請求項１または２の構成において、前記引出し部は、底板とこの底板の上に設けられた枠体とを有し、前記スライドテーブルの下面の少なくとも中央より手前側には、前記引出し部を引き出す際、前記枠体が乗り越えられる程度に前記枠体に当たる凸部が突出していることを特徴とする。
請求項３の構成によれば、スライドテーブルの下面の少なくとも中央より手前側には、引出し部を引き出す際、引出し部の枠体が当たる凸部が突出しているため、この枠体と凸部との衝突により、引出し部の抜けを防止することができる。
ここで、本発明の引出し部は、スライドテーブル又はこれに設けられた部材にのみ規制されるようになっている。そうすると、引出し部の枠体とスライドテーブルの凸部とが衝突した際の衝撃はスライドテーブルに伝わり易く、枠体と凸部との衝突によりスライドテーブルが揺れて、例えばスライドテーブルに載置された液体がこぼれる等の事態を招く恐れがある。しかし、本発明の場合、この凸部は枠体が乗り越えられる程度に突出しているため、例えば引出し部に過剰な力を入れて勢いよく引き出した場合、枠体が凸部を乗り越えるようになる。したがって、引出し部を引き出す際のスライドテーブルへの影響を抑制して、例えばスライドテーブルに載置された液体がこぼれる等の事態を有効に防止することができる。
【００１３】
請求項４は、請求項３の構成において、前記凸部は前記引出し部が引き出される方向に複数並べられていることを特徴とする。
請求項４の構成によれば、凸部は引出し部が引き出される方向に複数並べられているため、引出し部を引き出す際、例えば枠体が最初に当たる凸部を乗り越えて引き出された場合であっても次の凸部に当たる。したがって、引出し部が引き出される力を段階的に弱めることができ、引出し部を強く引っ張ってしまった際に、凸部が枠体に衝突することで生ずるスライドテーブルへの影響を抑制しながら、引出し部の抜けを防止できる。
【発明の効果】
【００１４】
以上述べたように、本発明によれば、スライドテーブルが引き出されず、或いはスライドテーブル上に物が置かれていても、引出し部内の物を取り出すことができる補助テーブルを提供することができる。
【発明を実施するための最良の形態】
【００１５】
図１ないし図４は、本発明の第１の実施形態に係る補助テーブル２０であって、図１は補助テーブル２０を上側から視認した概略斜視図、図２は補助テーブル２０を背面の下側から視認した概略斜視図、図３は図１のＡ−Ａ線概略端面図、図４はスライドテーブル及び引出し部を引き出した使用状態を表した図である。
これらの図において、補助テーブル２０は、天板２４を有し、少なくとも手前に開口部が配置されるようにして、天板２４の下面側に収容空間Ｓを有する基体２８を備えている。この基体２８が、システムキッチンのカウンタートップ・棚等の家具やその他の台２２の上に載置されると共に、後述する部品（スライドテーブルや引出し）を取り付けるためのベースとなる。
【００１６】
本発明における天板２４は物が載置される板であり、載置される物の種類は問わない。本実施形態の天板２４の場合は、家庭内において比較的重いと思われるガスレンジ・電子レンジ・パーソナルコンピュータ等の加熱器或いは電化製品などを載置することができる耐荷重を有し、具体的には３０ｋｇの耐荷重を有している。また、天板２４は、図１の破線で示されるようにガスレンジ等が置かれて、加熱されるようなことがあっても危険がないように、不燃性の材料、例えばガルバリウム鋼板を用いて形成されている。
【００１７】
なお、天板２４上の物がなく、又は軽い物であり、かつ、後で説明するスライドテーブル３０や引出し部４０に大きい荷重が加わった場合、或いは、天板２４上に所定の重量物が載置されていても、地震等で外部から強い力が加わった場合は、基体２８が動いてしまう恐れがある。そこで、本実施形態では、図２に示されるように、基体２８には、基体２８を載置する台２２に固定するための吸盤等の固定手段２５が設けられ、図２では、固定手段２５は基体２８の底面の奥側の２隅に配置されている。
【００１８】
収容空間Ｓは、図３に示されるように、後述するスライドテーブル３０と引出し部４０を収納するための空間であり、図４に示されるように、少なくとも調理等をする作業者がいる側である手前側に開放された開口部ＭＵを有している。本実施形態の場合、天板２４の下面側であって、奥行き方向（図４のｙ方向）と直交する幅方向（図４のｘ方向）の両端には、図２に示すように側壁部２７，２７が設けられており、また、天板２４の下面には、幅方向を区分けするように、仕切り板２９が奥行き方向に沿って設けられ、これにより、図３に示されるように、収容空間Ｓは複数の収容空間Ｓ１，Ｓ２に分けられている。なお、本実施形態の場合、補助テーブル２０の厚み（図３の上下方向の寸法）と奥行き方向の寸法を抑えるため、基体２８には底板及び奥側の板は設けられていない。
【００１９】
そして、複数の収容空間Ｓ１，Ｓ２の夫々に、スライドテーブル３０と引出し部４０が、上からスライドテーブル３０、引出し部４０の順で並んで収納されている。なお、本実施形態の収容空間Ｓ１，Ｓ２内に収められた複数のスライドテーブル３０，３０の夫々は共に略同様の構成であり、また、複数の引出し部４０，４０の夫々も共に略同様の構成であるため、以下、特段の言及がない限り、図１の左側のスライドテーブル３０及び引出し部４０の構成のみを説明をする。
【００２０】
スライドテーブル３０は収容空間Ｓに収められると共に、開口部から出し入れ可能なテーブルであって、調理等の作業をする際、収容空間Ｓから引き出され、その上で調理等の作業をしたり物を置いたりするための補助作業台である。
具体的には、スライドテーブル３０は、図３に示されるように、収容空間Ｓに収められる領域３２が天板２４と略平行になるように平板状に形成されている。この領域３２は、近傍に加熱器が置かれることを想定して、天板２４と同じガルバリウム鋼板などの不燃性材料で形成されている。
【００２１】
この平板状の領域３２の手前側の端部には、図４（ａ）に示されるように、引き手３４が設けられている。この引き手３４は、スライドテーブル３０を引き出し易くするための部材であって、平板状の領域３２が収容空間Ｓに格納された場合であっても収容空間Ｓに格納されず、露出した状態となっている（図１参照）。なお、引き手３４は抗菌作用を発揮させるため、抗菌剤を混入させた樹脂、例えば銀イオンを担持させた銀系抗菌剤を混入させたＡＢＳ樹脂で形成されている。
【００２２】
このような引き手３４は、平板状の領域３２を収容空間Ｓに格納した際、基体２８と引き手３４とで段部が生じないように、引き手３４に隣接する開口部ＭＵの縁２８ａ，２８ｃを覆うように形成されている。これにより、引き手３２と開口部ＭＵの縁２８ａ，２８ｃとが、図１に示されるように対向するように向き合って段部が作られないようにし、例えば調理中に調理者の腕が引き手３４に引っかかるなどの弊害を防止している。
具体的に、引き手３４は、図４（ａ）に示されるように、領域３２の上側に、領域３２の幅方向（図４のｘ方向）に沿って凸状に設けられており、この凸状の高さｈ１と開口部ＭＵの上側の縁２８ａの高さｈ２とが略同様になっている。さらに、引き手３４は、隣接する幅方向の縁２８ｃの寸法に対応して幅方向に張り出ており、この張り出し幅Ｗ１と縁２８ｃの幅Ｗ２とが同様になっている。なお、引き手３４は、幅方向の中央領域が手前に向かって緩やかな曲面を有するように膨らんだ膨らみ部３４ａを有しており、この膨み部３４ａの裏側の挿入空間３５（図６参照）に手を差し入れることで、スライドテーブル３０を引き出し易くすると共に、緩やかな曲面とすることで、作業者の腕等が引っかかる事態を有効に防止している。
スライドテーブル３０を出し入れするための構造については、後で詳細に説明する。
【００２３】
引出し部４０は、任意の物品を収納するためのもので、図３及び図４（ｂ）に示されるように、底板４１と、この底板４１の上に設けられた枠体４２とを有し、上側が開放された箱状となっている。なお、本実施形態の引出し部４０は、抗菌作用を発揮させるため、引き手３４と同様に抗菌剤を混入させた樹脂で形成されている。
そして、引出し部４０は、図３及び図４（ｂ）に示されるように、スライドテーブル３０の下面側に配置され、収容空間Ｓに収められると共に、開口部ＭＵから出し入れ可能となっている。また、引出し部４０は、枠体４２の奥行き方向と直交する幅方向（図４のｘ方向）の両端に、スライドテーブル３０の領域３２と略平行な平板状の鍔状部４４が設けられている。この鍔状部４４は、引出し部４０を出し入れする際に案内される部分である。鍔状部４４については後で詳細に説明する。
【００２４】
また、図４（ｂ）に示されるように、手前側の枠体４２ａは、幅方向の中央部の下側に窪み部４６をつくることで所定の手掛かり（図示せず）が形成されており、引出し部４０を容易に引き出すための取っ手ともなっている。
また、本実施形態の場合、手前側の枠体４２ａは、略中央領域の高さｈ３が、他の枠体の高さｈ４に比べて、スライドテーブル３０の裏面側に突出した凸部３８（図６参照）の高さに対応して、低く形成されている（凸部３８については後で詳細に説明する）。すなわち、スライドテーブル３０と引出し部４０との間は隙間がほぼなく、厚み方向に並んで隣接して配置されているため、引出し部４０を引き出そうとすると、手前側の枠体４２ａがスライドテーブル３０の凸部３８（図６参照）に衝突して、引き出し難い等の弊害が生じる。このため、凸部３８を避けるように、手前側の枠体４２ａの高さｈ３が設定されている。本実施形態の場合、枠体４２ａは高さｈ３を調整することで、出し入れする際の凸部３８との干渉を防止しているが、高さｈ３を他の枠体の高さｈ４に合わせて、図４（ｂ）の一点鎖線で示すように、凸部３８に対応した部分のみに、引き出し方向に沿った溝部を設けるようにしてもよい。
【００２５】
なお、スライドテーブル３０と引出し部４０の各耐荷重は、天板２４に３０Ｋｇの物が載置された状態において、スライドテーブル３０が５Ｋｇ、引出し部４０が１Ｋｇとなっている（ここでいう耐荷重とは、スライドテーブル３０や引出し部４０の変形や損傷に対するものではなく、スライドテーブル３０や引出し部４０を引き出した状態でバランスを崩さないでいられる重さの限界を言う。）。そして、本実施形態の場合はスライドテーブル３０と引出し部４０が夫々２つあり、２つのスライドテーブル３０，３０の耐荷重が１０Ｋｇ（５Ｋｇ×２）、２つの引出し部４０，４０の耐荷重が２Ｋｇ（１Ｋｇ×２）となるため、全てのスライドテーブル３０，３０及び引出し部４０，４０で合計１２Ｋｇの耐荷重を有するようになる。
【００２６】
ここで、引出し部４０は、スライドテーブル３０及び／又はこれに設けられた部材にのみ規制されるようにして、スライドテーブル３０に対して出し入れされるようになっている。すなわち、本実施形態を例にとると、引出し部４０の出し入れを規制する手段は、後述するように、幅方向の動きを規制するためのスライドテーブル３０の両端部５０，５０（図３参照）と、引き出し方向の動きを規制するためのスライドテーブル３０下面の凸部３８（図６参照）のみである。
まず、スライドテーブル３０の両端部５０，５０及びこれらの周辺を説明する。
【００２７】
図５は、スライドテーブル３０と引出し部４０を引き出して、下側から見た概略斜視図である。
この図５や図３及び図４（ｂ）に示されるように、引出し部４０は、枠体４２の周縁部の幅方向の両端から鍔状に張り出した鍔状部４４を有しており、この鍔状部４４は奥行き方向（引き出し方向）に沿って設けられ、スライドテーブル３０の平板状の領域３２と略平行に配置されている。
一方、スライドテーブル３０は、その幅方向の両端部５０，５０の夫々が、下側に向かって内側に丸められるように曲げ加工されている。そして、この丸められるよう内側に折り返して加工された際に形成された曲面部５０ａが、引出し部４０の鍔状部４４を下支えしながら、引出し部４０を出し入れする際のガイドとなっている。
【００２８】
すなわち、図３に示されるように、スライドテーブル３０の内側に折り返された両端部５０，５０は、それぞれ平板状の領域３２との間に、鍔状部４４の厚みに対応した隙間ＳＫ１を有しており、この両端の各隙間ＳＫ１に、引出し部４０の幅方向の両端の鍔状部４４，４４がそれぞれ挿入されることで、引出し部４０は支持されている。そして、この隙間ＳＫ１を有する両端部５０，５０は、奥行き方向に延伸するように形成されてガイドレールとなっており、これにより、鍔状部４４，４４がこの両端部５０，５０に案内されながら、引出し部４０がスライドテーブル３０に対して出し入れ自在となっている。さらに、両端部５０，５０の鍔状部４４，４４を支持する部分は曲面部５０ａとなっており、これにより、両端部５０，５０と鍔状部４４，４４の下面とが接触する領域を小さくして摩擦を抑え、滑らかに引出し部４０を出し入れできるようにしている。
【００２９】
なお、スライドテーブル３０の両端部５０，５０は、その最も下側の位置（最下点）５０ｂも曲面になっている。一方、基体の側壁部２７及び仕切り板２９の各収容空間Ｓ１，Ｓ２に露出した面には、各収容空間Ｓ１，Ｓ２の内側に向かって突出した突出部２５が設けられており、この突出部２５の略平坦な上面２５ａと天板２４との間に、スライドテーブル３０の両端部５０，５０に対応した隙間ＳＫ２，ＳＫ２が設けられている。
そして、図３に示されるように、隙間ＳＫ２，ＳＫ２にスライドテーブル３０の両端部５０，５０を挿入することで、スライドテーブル３０は突出部２５に案内されながら、基体２８に対して出し入れ可能となっている。そして、スライドテーブル３０の突出部２５に接触する部分は曲面である最下点５０ｂであるため、摩擦を抑え、滑らかにスライドテーブル３０を出し入れできる。
【００３０】
次に、スライドテーブル３０の下面に設けられた凸部３８及びこの周辺を、図４と、図４（ｂ）のＢ−Ｂ線概略端面図である図６を中心に説明する。
図６に示されるように、スライドテーブル３０は、その下面の少なくとも中央より手前側に、枠体４２に当たる凸部３８が突出している。
凸部３８は、スライドテーブル３０にのみ設けられ、奥行き方向における引出し部４０を引き出す動きを規制する唯一の手段となる。すなわち、本実施形態の凸部３８は下側（引出し部４０側）に突出しており、引出し部４０が勢いよく引き出された際に、枠体４２の最も奥側（手前と反対側）に位置する枠体４２ｂと衝突し、これにより引き出す方向の力を弱めて、抜けを防止している。
【００３１】
凸部３８の位置は、引出し部４０を大きく開けることを考慮すると、出来るだけ手前側に配置することが好ましいが、後述するように、凸部３８は枠体４２ｂが乗り越えられるように構成されているため、極端に手前に配置すると、引出し部４０が抜け落ちてしまう恐れもある。このため、本実施形態の場合、凸部３８は平板状の領域３２の先端からの距離Ｌ１が７４ｍｍ程度となるように配置されている。
また、凸部３８は、本実施形態の場合、図４（ｂ）に示されるように幅方向（ｘ方向）に２つ並べられているが、本発明はこれに限られず、一つであっても、或いは幅方向に３つ以上並べられてもよい。
【００３２】
このような凸部３８は、引出し部４０を勢いよく引き出した際、最も奥側の枠体４２ｂが乗り越えられる程度に突出している。すなわち、上述のように、引出し部４０は、スライドテーブル３０にのみ規制される構成となっているため、引出し部４０の抜けを防止するための凸部３８に枠体４２ｂが強く衝突すると、その衝撃の全てがスライドテーブル３０に直に伝わる。そうすると、スライドテーブル３０上の物が落下するなどの恐れがある。このため、枠体４２ｂが凸部３８に強く衝突した場合、その衝撃がスライドテーブル３０に強く伝達しないように、凸部３８は枠体４２ｂが乗り越えられる構成になっている。
【００３３】
具体的には、凸部３８は、奥側から手前側に向かうに従って除々に突出度合いが大きくなるように形成されることが好ましい。これにより、枠部４２ｂが凸部３８に当たる際の衝撃が和らげられる。本実施形態の凸部３８は略半球面状に下側に突出しているが、本発明の凸部３８は本実施形態のような形状に限られるものではなく、例えば、図６の下側の一点鎖線で囲った図に示されるように、引き出し方向の断面が三角形状などであっても構わない。或いは、凸部３８の形状に工夫がない場合であっても、例えば図６の二点鎖線で囲った図に示されるように、枠体４２ｂの縁部が手前側に向かうに従って除々に下側に位置するように傾斜させてもよい。
また、凸部３８は、図６に示されるように別部材で形成してもよいし、スライドテーブル３０を上面からプレス加工して下面を膨らませるように形成してもよい。
【００３４】
なお、引出し部４０の抜け防止構造は以上の通りであるが、スライドテーブル３０の抜け防止は、図４（ａ）のＣ−Ｃ線概略端面図である図７に示されるように、スライドテーブル３０に基体２８と係合する係合部５６を設けることで達成されている。
すなわち、基体２８は、天板２４の開口部ＭＵ側が略直角となるように下側（スライドテーブル側）に折り曲げ加工されて、収容空間Ｓに面した内面２８ｂを有している。そして、スライドテーブル３０は、少なくとも中央付近より奥側に、上側（天板側）に突出した係合部５６を有しており、スライドテーブル３０を大きく引き出した際、この係合部５６と内面２８ｂとが衝突することで、スライドテーブル３０の抜けが防止される。
【００３５】
本発明の第１の実施形態に係る補助テーブル２０は以上のように構成されており、引出し部４０はスライドテーブル３０に対して出し入れされるため、スライドテーブル３０を引き出して、スライドテーブル３０上で調理等の作業をしながら、引出し部４０をスライドテーブル３０から引き出して、その中から調理用具等を取り出すことができる。しかも、引出し部４０の出し入れは、スライドテーブル３０及び／又はこれに設けられた部材にのみ規制されるため、その他の構造に規制されることがなく、スライドテーブル３０を大きく引き出しても、その大きく引き出した状態からさらに引出し部４０を引き出すことができる。
【００３６】
図８は本発明の第２の実施形態に係る補助テーブル７０であって、図８（ａ）は、スライドテーブル３０と引出し部４０を引き出した状態の斜視図、図８（ｂ）は図８（ａ）のＤ−Ｄ線概略端面図である。この図において、図１ないし図７の補助テーブル２０と同一の構成には、共通する符号を付して重複する説明は省略し、相違点を中心に説明する。
この補助テーブル７０が上述した実施形態と異なるのは、凸部３８と枠体４２についてのみである。
【００３７】
すなわち、補助テーブル７０の場合、スライドテーブル３０の下面に設けられた凸部３８は、引出し部４０が引き出される方向に複数並べられている。
複数の凸部３８は、上述のように少なくとも中央より手前に配置されているが、この手前の領域において、奥よりに複数の凸部３８ａ，３８ａが幅方向に沿って並べられ、これより手前（即ち凸部３８ａ，３８ａと平板状の領域３２の手前側の端部との間）に、複数の凸部３８ｂ，３８ｂが幅方向に沿って並べられている。
【００３８】
また、第２の実施形態の場合、引出し部４０の手前側の枠体４２ａに形成された張り出し部６０，６０には、スライドテーブル３０の両端部５０，５０を避けるように切り欠き部６２，６２が設けられている。
すなわち、スライドテーブル３０には外部に露出した引き手３４が設けられているため、作業をする手前側の面（図１の正面）に段部が生じないように、引出し部４０の手前側の枠体４２ａに、引き手３４に対応した張り出し部６０，６０が設けられている。ところが、張り出し部６０，６０があると、スライドテーブル３０を引き出す際、ガイドレールとなるスライドテーブル３０の両端部５０，５０が張り出し部６０，６０に当たって、引出し部４０もスライドテーブル３０と一緒に引き出されてしまう。また、スライドテーブル３０を引き出した状態で、引出し部４０のみを収容空間Ｓに収めることができない。そこで、図８（ａ）の一点鎖線で囲った拡大図に示されるように、張り出し部６０，６０に、ガイドレールとなる両端部５０，５０を避けるような切り欠き部６２，６２を設けている。
【００３９】
本発明の第２の実施形態に係る補助テーブル７０は以上のように構成されており、凸部３８は引出し部４０が引き出される方向に複数並べられている。このため、引出し部４０を引き出す際、枠体４２ｂが最初に当たる奥よりの凸部３８ａ，３８ａを乗り越えて引き出された場合であっても、次の凸部３８ｂ，３８ｂと接触する。したがって、引出し部４０が引き出される力を段階的に弱め、凸部３８ａ，３８ａ，３８ｂ，３８ｂが枠体４２ａに衝突することで生ずるスライドテーブル３０への影響を抑制しながら、引出し部４０の不意の抜けを防止できる。
【００４０】
なお、奥よりの凸部３８ａの下側に突出する高さ寸法ｈ５は、手前よりの凸部３８ｂの下側に突出する高さ寸法ｈ６に比べて小さく形成してもよく、これにより、枠体４２ａが奥よりの凸部３８ａに最初に衝突する際の衝撃を、第１の実施形態に比べて弱めることができ、さらに、手前よりの凸部３８ｂで確実にスライドテーブル３０の不意の引き抜けを防止することができる。
【００４１】
本発明は上述の実施形態に限定されない。各実施形態の各構成はこれらを適宜組み合わせたり、省略し、図示しない他の構成と組み合わせることができる。
【図面の簡単な説明】
【００４２】
【図１】本発明の第１の実施形態に係る補助テーブルを正面の上側から視認した概略斜視図。
【図２】本発明の第１の実施形態に係る補助テーブルを背面の下側から視認した概略斜視図。
【図３】図１のＡ−Ａ線概略端面図。
【図４】スライドテーブル及び引出し部を引き出した使用状態を表した図。
【図５】スライドテーブルと引出し部を引き出して、下側から見た概略斜視図。
【図６】図４（ｂ）のＢ−Ｂ線概略端面図。
【図７】図４（ａ）のＣ−Ｃ線概略端面図。
【図８】本発明の第２の実施形態に係る補助テーブルであって、図８（ａ）はスライドテーブルと引出し部を引き出した使用状態の斜視図、図８（ｂ）は図８（ａ）のＤ−Ｄ線概略端面図。
【図９】従来の補助テーブルの斜視図。
【図１０】従来のその他の補助テーブルの斜視図。
【符号の説明】
【００４３】
２０，７０・・・補助テーブル、２４・・・天板、２８・・・基体、３０・・・スライドテーブル、３８・・・凸部、４０・・・引出し部、４２・・・枠体、４４・・・鍔状部、Ｓ・・・収容空間
【図１】
2009131403.tif 000003
【図２】
2009131403.tif 000004
【図３】
2009131403.tif 000005
【図４】
2009131403.tif 000006
【図５】
2009131403.tif 000007
【図６】
2009131403.tif 000008
【図７】
2009131403.tif 000009
【図８】
2009131403.tif 000010
【図９】
2009131403.tif 000011
【図１０】
2009131403.tif 000012